(57)【要約】【課題】引留具に掛止した支持線部に補強線を容易に巻付けることができ、巻付け作業のスピードアップを図ることができる補強線巻付治具を提供すること。【解決手段】補強線巻付治具１は、引留具に掛止した光ドロップケーブルの支持線部をその側方から挿入可能なように一端開放の支持線部挿入溝部１１が設けられていると共に、その溝部の両側に引留具で折り返した補強線の両端部が挿入される一対の補強線挿入孔１２ａ，１２ｂが設けられており、支持線部挿入溝部１１に光ドロップケーブルから分離した支持線部を通し、かつ、一対の補強線挿入孔１２ａ，１２ｂに引留具で折り返した補強線の両端部を挿入した後、回転させることにより支持線部に補強線の両端部を巻付けて補強する。【選択図】図４
2014115516.tif 000002
【特許請求の範囲】
【請求項１】
引留具に掛止した光ドロップケーブルの支持線部に、支持線部の切れ端等の補強線を巻付けるための補強線巻付治具であって、
引留具に掛止した支持線部をその側方から挿入可能なように一端開放の支持線部挿入溝部が設けられていると共に、その溝部の両側に引留具で折り返した補強線の両端部が挿入される一対の補強線挿入孔が設けられており、
支持線部挿入溝部に支持線部を通し、かつ、一対の補強線挿入孔に引留具で折り返した補強線の両端部を挿入した後、回転させることにより補強線の両端部を支持線部に巻付けることを特徴とする補強線巻付治具。
【請求項２】
請求項１記載の補強線巻付治具において、
支持線部挿入溝部は、丸孔で、かつ、その一部に支持線部をその側方から挿入可能なように丸孔の径より小さい幅の切欠部が設けられており、その切欠部から外側まで徐々に広がって外側から丸孔まで支持線部を案内する支持線部案内開口部が設けられていることを特徴とする補強線巻付治具。
【請求項３】
請求項１または請求項２記載の補強線巻付治具において、
一対の補強線挿入孔には、それぞれ、補強線挿入側は大径で、かつ、補強線引出し側は小径で、一対の補強線挿入孔の内周面は、補強線挿入側から補強線引出し側へ向かって徐々に窄まることにより、補強線の両端部を支持線部挿入溝部に挿入された支持線部に向かうように案内する傾斜面が設けられていることを特徴とする補強線巻付治具。
【請求項４】
請求項１〜請求項３のいずれか一の請求項に記載の補強線巻付治具において、
一対の補強線挿入孔は、その回転方向に縦長であることを特徴とする補強線巻付治具。
【請求項５】
請求項１〜請求項４のいずれか一の請求項に記載の補強線巻付治具において、
その外形は、一対の補強線挿入孔の方向に横長であって、かつ、一対の補強線挿入孔に相当する部分が最も高く、一対の補強線挿入孔に相当する部分から両端部に向かうに従って指が掛かり易いように湾曲面が設けられていることを特徴とする補強線巻付治具。
【請求項６】
請求項１〜請求項５のいずれか一の請求項に記載の補強線巻付治具の支持線部挿入溝部に引留具から延びる支持線部を通し、かつ、補強線巻付治具の一対の補強線挿入孔に引留具で折り返した補強線の両端部を挿入した後、その補強線巻付治具を回転させることにより補強線の両端部を支持線部に巻付けることを特徴とする補強線巻付治具を使用した補強線の巻付方法。
【発明の詳細な説明】
【技術分野】
【０００１】
本発明は、引留具に掛止した光ドロップケーブルの支持線部に、支持線部の切れ端等の補強線を巻付けるための補強線巻付治具およびその補強線巻付治具を使用した補強線の巻付方法に関する。
【背景技術】
【０００２】
光ファイバ心線部と光ファイバ心線部を支持する支持線部とを有する光ドロップケーブルの光ファイバ心線部を屋外から屋内へ引き込むため、電柱や家屋、分岐点などに光ドロップケーブルの支持線部を留めて支持する各種の引留具を固定して、その引留具を経由して光ドロップケーブルの光ファイバ心線部を屋外から屋内へ引き込むことが行われている（例えば、特許文献１〜３参照。）
【先行技術文献】
【特許文献】
【０００３】
【特許文献１】特開２００４−３４３８３４号公報
【特許文献２】特開２００７−１７８５６９号公報
【特許文献３】特開２００８−３９８２７号公報
【発明の概要】
【発明が解決しようとする課題】
【０００４】
ところで、風が強い強風エリアにおいては、引留具やその引留具に掛止した支持線部が強風によって激しく揺れることによって引留具に掛止した支持線部が断線しないよう、引留具に掛止した支持線部に対し、さらに支持線部の切れ端等の補強線を巻付けて補強する、いわゆる光ドロップ新設時断線防止工法を適用している。
【０００５】
しかしながら、支持線部の切れ端等の補強線は中に太い鋼線等が入っているため、硬くて巻付け難い。また、引留具に掛止した支持線部に補強線を巻付ける作業を、引留具を設ける電柱や家屋、分岐点などのすべてにおいて実施しなければならないため、その作業に手間がかかっていた。特に、冬季、強風エリアは気温が相当下がり、指先が凍えるため、その作業に非常に大変であり、作業時間がかかっていた。
【０００６】
そこで、本発明は、このような問題点に鑑みてなされたもので、引留具に掛止した支持線部に補強線を容易に巻付けることができ、巻付け作業のスピードアップを図ることができる補強線巻付治具およびその補強線巻付治具を使用した補強線の巻付方法を提供することを目的とする。
【課題を解決するための手段】
【０００７】
上記課題を解決するため、本発明に係る補強線巻付治具は、引留具に掛止した光ドロップケーブルの支持線部に、支持線部の切れ端等の補強線を巻付けるための補強線巻付治具であって、引留具に掛止した支持線部をその側方から挿入可能なように一端開放の支持線部挿入溝部が設けられていると共に、その溝部の両側に引留具で折り返した補強線の両端部が挿入される一対の補強線挿入孔が設けられており、支持線部挿入溝部に支持線部を通し、かつ、一対の補強線挿入孔に引留具で折り返した補強線の両端部を挿入した後、回転させることにより補強線の両端部を支持線部に巻付けることを特徴とする。
ここで、支持線部挿入溝部は、丸孔で、かつ、その一部に支持線部をその側方から挿入可能なように丸孔の径より小さい幅の切欠部が設けられており、その切欠部から外側まで徐々に広がって外側から丸孔まで支持線部を案内する支持線部案内開口部が設けられていると良い。
また、一対の補強線挿入孔には、それぞれ、補強線挿入側は大径で、かつ、補強線引出し側は小径で、一対の補強線挿入孔の内周面は、補強線挿入側から補強線引出し側へ向かって徐々に窄まることにより、補強線の両端部を支持線部挿入溝部に挿入された支持線部に向かうように案内する傾斜面が設けられているとさらに良い。
また、一対の補強線挿入孔は、その回転方向に縦長であるとさらに良い。
また、その外形は、一対の補強線挿入孔の方向に横長であって、かつ、一対の補強線挿入孔に相当する部分が最も高く、一対の補強線挿入孔に相当する部分から両端部に向かうに従って指が掛かり易いように湾曲面が設けられているとさらに良い。
また、本発明に係る補強線巻付治具を使用した補強線の巻付方法は、上述のいずれか補強線巻付治具の支持線部挿入溝部に引留具から延びる支持線部を通し、かつ、補強線巻付治具の一対の補強線挿入孔に引留具で折り返した補強線の両端部を挿入した後、その補強線巻付治具を回転させることにより補強線の両端部を支持線部に巻付けることを特徴とする。
【発明の効果】
【０００８】
本発明に係る補強線巻付治具およびその補強線巻付治具を使用した補強線の巻付方法は、支持線部挿入溝部に支持線部を通し、かつ、一対の補強線挿入孔に引留具で折り返した補強線の両端部を挿入した後、回転させることにより補強線の両端部を支持線部に巻付ける。そのため、引留具に掛止した支持線部に補強線を容易に巻付けることができ、巻付け作業のスピードアップを図ることができる。
【図面の簡単な説明】
【０００９】
【図１】光ケーブルおよび光ドロップケーブルの配線状態の一例を示す概略説明図である。
【図２】図１の部分拡大図である。
【図３】引留具の使用状態を示す概略説明図である。
【図４】（ａ），（ｂ）それぞれ本発明に係る補強線巻付治具の実施形態の斜視図である。
【図５】（ａ），（ｂ）それぞれ本発明に係る補強線巻付治具の実施形態の正面図、背面図である。
【図６】（ａ）〜（ｃ）それぞれ本発明に係る補強線巻付治具の実施形態の平面図、Ａ−Ａ線断面図、側面図である。
【図７】本発明に係る補強線巻付治具を使用して支持線部に補強線を巻付ける際の手順を示す説明図である。
【図８】本発明に係る補強線巻付治具を使用して支持線部に補強線を巻付ける際の手順を示す説明図である。
【図９】本発明に係る補強線巻付治具を使用して支持線部に補強線を巻付ける際の手順を示す説明図である。
【図１０】本発明に係る補強線巻付治具を使用して支持線部に補強線を巻付ける際の手順を示す説明図である。
【図１１】（ａ），（ｂ）それぞれ本発明に係る補強線巻付治具の他の実施形態の斜視図、正面図である。
【図１２】（ａ）〜（ｄ）それぞれ本発明に係る補強線巻付治具の他の実施形態の背面図、平面図、Ｂ−Ｂ線断面図、側面図である。
【図１３】他の引留具の一例を示す図である。
【発明を実施するための形態】
【００１０】
次に、本発明に係る補強線巻付治具１およびその補強線巻付治具１を使用した補強線の巻付方法の実施形態について説明する。
【００１１】
＜光ファイバ心線部を屋外から屋内へ引き込む方法＞
まず、光ファイバ心線部と光ファイバ心線部を支持する支持線部とを有する光ドロップケーブルの光ファイバ心線部を屋外から屋内へ引き込む方法について説明する。
【００１２】
図１は光ケーブルおよび光ドロップケーブルの配線状態の一例を示す概略説明図、図２は図１の部分拡大図、図３は引留具の使用状態を示す概略説明図である。なお、図１〜図３はまだ補強線８を巻付けていない状態を示している。
【００１３】
図１および図２に示すように、多数の光ファイバを内蔵した光ケーブル２が局から例えば電柱３（あるいは地中内の管路）を経て敷設される。この電柱３間に敷設される光ケーブル２は、光ケーブル２に添設されている吊線２２で電柱３間に支持され、光ケーブル本体部２１が吊線２２から離されて、電柱３の近くで吊線２２に支持されたクロージャ４に引き込まれ、クロージャ４内で光ケーブル本体部２１から複数本の屋外線である光ドロップケーブル２１１が各加入者宅５に向けて配線される。ただし、電柱３から離れた加入者宅５の場合、光ドロップケーブル２１１は柱間分線金物９を介して加入者宅５に配線される。
【００１４】
光ドロップケーブル２１１は、例えば２芯の光ファイバ心線部をＰＶＣや難燃性のＰＥのような熱可塑性樹脂のケーブルシースで被覆した光ファイバ心線部２１１ａと、鋼線などの支持線部を熱可塑性樹脂のケーブルシースで被覆し、光ファイバ心線部２１１ａを支持する支持線部２１１ｂとから構成されている。なお、光ファイバ心線部２１１ａ内には、光ファイバ心線部の両側に所定間隔を開けて一対の例えば可撓性ＦＲＰからなる抗張力線等が配設されている。
【００１５】
光ドロップケーブル２１１の配線形態は、図２や図３に示すように加入者宅５などに固定されたＣ形金物６や、電柱３に固定されたＬ形金物６’（図１３参照。）に掛止された引留具７により配線される。
【００１６】
つまり、光ドロップケーブル２１１の両側端部で光ファイバ心線部２１１ａと支持線部２１１ｂとが分離され、この分離された支持線部２１１ｂの一端は、電柱３にＬ形金物６’を介し固定された引留具７に固定される一方、他方は加入者宅５にＣ形金物６を介し固定された引留具７に固定される。
【００１７】
引留具７は、図３に示すように、例えば、Ｃ形金物６等のフック部に引っ掛けるために一部環状をなす吊り部７１の一端が直方体形状の引留具本体部７２の一端に突設して構成されている。引留具本体部７２には、例えばキノコ状で第１溝部７２ａ１を備えた第１巻付部７２ａと、キノコ状で第２溝部７２ｂ１を備えた第２巻付部７２ｂと、キノコ状で第３溝部７２ｃ１を備えた第３巻付部７２ｃと、凹部７２ｄと、頭部７２ｅとを有している。そして、光ドロップケーブル２１１から分離した支持線部２１１ｂは、例えば、第１溝部７２ａ１、第２溝部７２ｂ１および第３溝部７２ｃ１をジグザグに通りながら凹部７２ｄで１，２周巻かれてドロップケーブル引留具７に掛止される。
【００１８】
＜補強線巻付治具１の構成＞
図４（ａ），（ｂ）はそれぞれ本発明に係る補強線巻付治具１の表側から見た斜視図、裏側から見た斜視図、図５（ａ），（ｂ）はそれぞれ本発明に係る補強線巻付治具１の正面図、背面図、図６（ａ）〜（ｃ）はそれぞれ本発明に係る補強線巻付治具１の平面図、Ａ−Ａ線断面図、側面図である。
【００１９】
図４〜図６に示すように、この補強線巻付治具１は、風が強い強風エリアにおいて光ドロップ新設時断線防止工法を施工するため、光ファイバ心線部２１１ａと光ファイバ心線部２１１ａを支持する支持線部２１１ｂとを有する光ドロップケーブル２１１の光ファイバ心線部２１１ａを屋外から屋内へ引き込むための引留具７に掛止した支持線部２１１ｂに、支持線部２１１ｂの切れ端等の補強線８（図７参照。）を巻付けるためのものである。
【００２０】
つまり、この補強線巻付治具１は、図４〜図６に示すように、引留具７に掛止した支持線部２１１ｂをその側方から挿入可能なように一端開放の支持線部挿入溝部１１が設けられていると共に、その溝部２１の両側に引留具７で折り返した補強線８の両端部が挿入される一対の補強線挿入孔１２ａ，１２ｂが設けられている。
【００２１】
ここで、支持線部挿入溝部１１は、丸孔で、かつ、その一部に支持線部２１１ｂをその側方から挿入可能なように丸孔の径より小さい幅の切欠部１１ａが設けられており、その切欠部１１ａから外側まで徐々に広がって外側から丸孔まで支持線部２１１ｂを案内する支持線部案内開口部１１ｂが設けられている。
【００２２】
また、一対の補強線挿入孔１２ａ，１２ｂには、それぞれ、補強線挿入側は大径で、かつ、補強線引出し側は小径で、一対の補強線挿入孔１２ａ，１２ｂの内周面は、補強線挿入側から補強線引出し側へ向かって徐々に窄まることにより、補強線８の両端部を支持線部挿入溝部１１に挿入された支持線部２１１ｂに向かうように案内する縦長の変形円錐状または変形漏斗状の傾斜面１２ａ１，１２ｂ１が設けられている。
【００２３】
また、一対の補強線挿入孔１２ａ，１２ｂは、その回転方向に縦長にしている。
【００２４】
また、この補強線巻付治具１の外形は、一対の補強線挿入孔１２ａ，１２ｂの方向に横長であって、かつ、一対の補強線挿入孔１２ａ，１２ｂに相当する部分が最も高く、一対の補強線挿入孔１２ａ，１２ｂに相当する部分から両端部に向かうに従って指が掛かり易いように湾曲面１３ａ〜１３ｄが設けられている。
【００２５】
＜補強線巻付治具１の使用方法＞
次に、この補強線巻付治具１を使用した補強線８の巻付け方法の一例について説明する。
【００２６】
まず、作業者は、引留具７に光ドロップケーブル２１１の支持線部２１１ｂを掛止した後、図７に示すようにその支持線部２１１ｂに、別の支持線部２１１ｂの切れ端等の補強線８を折り返して掛止する。
【００２７】
次に、支持線部２１１ｂに対しその側方から補強線巻付治具１の支持線部案内開口部１１ｂを近付け、図８に示すように切欠部１１ａを介して支持線部挿入溝部１１に支持線部２１１ｂを挿入する。
【００２８】
次に、作業者は、補強線巻付治具１の支持線部挿入溝部１１の両側の一対の補強線挿入孔１２ａ，１２ｂにそれぞれ補強線８の両端部を挿入して、図９に示すようにその状態で補強線巻付治具１を支持線部２１１ｂの回りで５，６回など所定の回数だけ回転させる。
【００２９】
すると、図１０に示すように、引留具７の端部で支持線部２１１ｂの周りに補強線巻付治具１を回転させた回数だけ補強線８を巻付けることができる。補強線巻付治具１の回転回数、すなわち補強線８の巻数は、予め所定回数または所定巻数と決めておけば、補強線８による補強を均一化できる。なお、補強線８の巻付け後、余った部分はペンチ等により切断すれば良い。
【００３０】
従って、本実施形態によれば、支持線部挿入溝部１１と一対の補強線挿入孔１２ａ，１２ｂとを有する補強線巻付治具１を使用し、支持線部挿入溝部１１に支持線部２１１ｂを通し、一対の補強線挿入孔１２ａ，１２ｂに引留具７で折り返した補強線８の両端部を挿入して回転させることにより支持線部２１１ｂに補強線８の両端部を巻付けるようにしたため、引留具７に掛止した支持線部２１１ｂに補強線８を容易に巻付けることができ、補強線８の巻付け作業のスピードアップを図ることができる。
【００３１】
特に、この補強線巻付治具１では、支持線部挿入溝部１１は、丸孔で、かつ、その一部に支持線部２１１ｂをその側方から挿入可能なように丸孔の径より小さい幅の切欠部１１ａが設けられており、その切欠部１１ａから外側まで徐々に広がって外側から丸孔まで支持線部２１１ｂを案内する支持線部案内開口部１１ｂが設けられているため、支持線部２１１ｂをその側方から容易に支持線部挿入溝部１１まで案内できると共に、支持線部２１１ｂを支持線部挿入溝部１１に挿入状態を安定して保持することができる。なお、本発明では、支持線部挿入溝部１１が設けられていれば十分であるため、切欠部１１ａおよび支持線部案内開口部１１ｂは省略できる。
【００３２】
また、この補強線巻付治具１では、一対の補強線挿入孔１２ａ，１２ｂには、それぞれ、補強線挿入側は大径で、かつ、補強線引出し側は小径で、一対の補強線挿入孔１２ａ，１２ｂの内周面は、補強線挿入側から補強線引出し側へ向かって徐々に窄まることにより、補強線８の両端部を支持線部挿入溝部１１に挿入された支持線部２１１ｂに向かうように案内する縦長の変形円錐状または変形漏斗状の傾斜面１２ａ１，１２ｂ１を設けたため、各補強線挿入孔１２ａ，１２ｂに補強線８が挿入し易くなると共に、各補強線挿入孔１２ａ，１２ｂに大径の補強線挿入側から小径の補強線引出し側へ補強線８を通した際、補強線８は補強線挿入孔１２ａ，１２ｂの中心に向かうことになり、補強線８にあまり遊びが発生しないように支持線部２１１ｂに巻付けることができる。
【００３３】
また、この補強線巻付治具１では、一対の補強線挿入孔１２ａ，１２ｂは、その回転方向に縦長にしており、しかも一対の補強線挿入孔１２ａ，１２ｂには、傾斜面１２ａ１，１２ｂ１が設けられているため、補強線８を急角度で曲げることなく、また曲げ跡等を付けることなく、簡単かつ少ない力で支持線部２１１ｂの周りに巻付けることができる。なお、本発明では、一対の補強線挿入孔１２ａ，１２ｂを回転方向に縦長にすることは任意であり、補強線８の端部を通すことが可能であれば十分である。
【００３４】
また、この補強線巻付治具１の外形は、一対の補強線挿入孔１２ａ，１２ｂの方向に横長であって、かつ、一対の補強線挿入孔１２ａ，１２ｂに相当する部分が最も高く、一対の補強線挿入孔１２ａ，１２ｂに相当する部分から両端部に向かうに従って指が掛かり易いように湾曲面１３ａ〜１３ｄが設けられているため、作業者は手袋や軍手等をしていても、その湾曲面１３ａ〜１３ｄを指で掴むことにより確実に回転させることが出来る。その結果、冬季の強風エリア等の厳しい作業条件であっても、引留具７に掛止した支持線部２１１ｂに補強線８を容易に巻付けることができる。
【００３５】
なお、上記の説明では、図４〜図６に示すように、厚さの厚い補強線巻付治具１により説明したが、本発明では、図１１および図１２に示すように、厚さの薄い補強線巻付治具１’により構成しても良い。図１１および図１２に示す補強線巻付治具１’の場合、厚さが薄いので、図４〜図６に示す補強線巻付治具１よりも携帯に便利となるが、その厚さにより傾斜面１２ａ１’，１２ｂ１’の傾斜角度も急になるので、各補強線挿入孔１２ａ’，１２ｂ’への補強線８の挿入性は落ちることになる。つまり、図４〜図６に示す補強線巻付治具１の方が、図１１および図１２に示す補強線巻付治具１’よりも各補強線挿入孔１２ａ，１２ｂへの補強線８の挿入性が向上している。
【００３６】
また、上記説明では、図３に示すような形状の引留具７に掛止した支持線部２１１ｂへの補強線８の巻付けで説明したが、本発明では、引留具７の形状は図３等に示すものに限らず、例えば、図１３に示すような引留具７’の両側からそれぞれ延びる支持線部を補強線８で補強する光ドロップ新設時断線防止工法にも同様に使用可能である。
【符号の説明】
【００３７】
１，１’  補強線巻付治具
１１，１１’  支持線部挿入溝部
１１ａ，１１ａ’  切欠部
１１ｂ，１１ｂ’  支持線部案内開口部
１２ａ，１２ｂ，１２ａ’，１２ｂ’  補強線挿入孔
１２ａ１，１２ｂ１，１２ａ１’，１２ｂ１’  傾斜面
１３ａ〜１３ｄ，１３ａ’〜１３ｄ’  湾曲面
２  光ケーブル
２１  光ケーブル本体部
２１１  光ドロップケーブル
２１１ａ  光ファイバ心線部
２１１ｂ  支持線部
２２  吊線
３  電柱
４  クロージャ
５  加入者宅
６  Ｃ形金物
６’  Ｌ形金物
７  引留具
７１  吊り部
７２  引留具本体部
７２ａ  第１巻付部
７２ａ１  第１溝部
７２ｂ  第２巻付部
７２ｂ１  第２溝部
７２ｃ  第３巻付部
７２ｃ１  第３溝部
７２ｄ  凹部
７２ｅ  頭部
８  補強線（支持線部の切れ端等）
９  柱間分線金物
【図１】
2014115516.tif 000003
【図２】
2014115516.tif 000004
【図３】
2014115516.tif 000005
【図４】
2014115516.tif 000006
【図５】
2014115516.tif 000007
【図６】
2014115516.tif 000008
【図７】
2014115516.tif 000009
【図８】
2014115516.tif 000010
【図９】
2014115516.tif 000011
【図１０】
2014115516.tif 000012
【図１１】
2014115516.tif 000013
【図１２】
2014115516.tif 000014
【図１３】
2014115516.tif 000015